(57)【特許請求の範囲】
【請求項１】
認識パターンを複数の領域に分割して得られる部分基準パターンに基づいて画像認識を行う手段と、
前記画像認識を行って検出された個々の部分基準パターンに対応するパターンの配置状態が正規のものか否かを認識する手段とを備え、
前記認識する手段は、異なる変倍率についての複数の配置状態と比較して認識するものであることを特徴とする画像認識装置。
【請求項２】
前記異なる変倍率についての複数の配置状態は、基本となる配置状態を配置情報記憶部に記憶保持させるとともに、その基本となる配置状態から各変倍率に基づき演算処理して求めるものとしたことを特徴とする請求項１に記載の画像認識装置。
【請求項３】
検出対象の認識パターンを細分化した領域ごとの辞書データを記憶する辞書部と、
入力された画像データと前記辞書部に記憶された辞書データを比較・マッチングする領域マッチング部と、
前記細分化された領域の配置情報を記憶する配置情報記憶部と、
前記記憶された配置情報と、前記領域マッチング部の出力とに基づいて前記画像データ中に前記認識パターンが存在するか否かを判断するパターン検出部とを備え、
前記配置情報記憶部に記憶される配置情報は、異なる変倍率に対応する複数の配置情報であることを特徴とする画像認識装置。
【請求項４】
画像データに対して所定の画像処理を行う画像処理装置において、
請求項１から３のいずれか１項に記載の画像認識装置を備え、その画像認識装置が前記処理中の画像データに前記認識対象パターンの存在を認識した際に、正常な画像処理を行わないようにしたことを特徴とする画像処理装置。
【請求項５】
与えられた画像データに対し、認識パターンを細分化した領域ごとの辞書データとのマッチングを行う処理、
前記マッチングを行う処理により検出された各領域の配置が検出対象の前記認識パターンのものか否かを、異なる変倍率についての複数の配置状態と比較して判断する処理をコンピュータに実行させる命令を含む画像認識プログラムを格納したコンピュータが読み取り可能な記録媒体。
【発明の詳細な説明】
【０００１】
【産業上の利用分野】
本発明は、紙幣、有価証券等の偽造を防止するために適した画像認識装置及び記録媒体並びに画像処理装置に関するもので、特に変倍対応機能の改良に関する。
【０００２】
【従来の技術】
近年のフルカラー複写機等の複写装置の開発により、複写画像の画質は原画像と肉眼では見分けがつかないレベルにまで達し、係る忠実な複写が手軽に得られるようになった。しかし、それにともない紙幣、有価証券等の本来複写が社会的に禁止されているものの偽造に悪用される危険性が増大すると考える必要があり、係る危険性を未然に防止するための偽造防止装置が種々開発されている。
【０００３】
そして、これら各種の装置は、予め紙幣等の複写禁止物に関する画像を登録しておき、入力画像中にかかる画像が含まれているか否かを認識判定するようになっている。この認識判定（パターンマッチング）する際の手法としては、基準となる認識パターン（テンプレート）と、認識対象の画像（対象物）との間でのテンプレート間距離や相互相関を用いて評価するようになっている。
【０００４】
そして、画像中に認識パターンがあることを認識した場合には、コピー紙全面を黒く塗り潰して出力したり、或いは、複写処理自体を停止するなど種々の複写禁止手段をとるようになっている。
【０００５】
ところで、上記した評価は、大きさの同一性も重要な要素の１つとなる。すなわち、仮に形状は同じ（相似形）であっても、寸法が異なっている場合には、認識パターンではないと認識されてしまう。その結果、複写機の機能の１つとして備えられた変倍機能により原稿を縮小或いは拡大して複写処理をすると、複写機本体側から画像認識装置に与えられる画像データの大きさが、予め登録していた認識パターン（画像データ）と異なり、紙幣ではないと認識されるおそれがある。
【０００６】
すなわち、デジタルカラー複写機は、通常１ライン分（主走査方向）のＣＣＤを備えたイメージセンサを所望の速度で副走査方向に移動させることにより原稿台に載置された画像を読み取るが、縮小或いは拡大する場合には、そのイメージセンサの移動速度を適宜増減速することにより対応している。よって、イメージセンサで読み取られた画像データは、その時点で与えられた変倍率により副走査方向の情報量が異なるためである。
【０００７】
一方、人間の視覚は物の形状を複雑な過程で認識していると考えられるが、絶対的な大きさの評価は不得手であり、わずかな大きさの差を認識（区別）することが困難である。従って、画像認識では同一と判断されずに複写処理された物が、目視では同一と判断してしまうおそれがある。
【０００８】
特に、その変倍率（拡大・縮小率）が数％〜１０数％程度では、本物の紙幣と直接対比して比較すればその大きさが異なるためすぐにわかるが、偽造コピーされた（大きさの異なる）もののみを単体で見た場合にはわかりにくく、ましてや不断見慣れていない外国の紙幣などではなおさらとなる。
【０００９】
係る問題を解決するため、例えば特開平６−２３７３７９号公報に開示された画像処理装置が開発されている。この発明は、前処理として複写機本体側から与えられる変倍率に基づいて、入力された画像データに対して所定部位を単純間引き（変倍率により間引きパターンは変わる）し、間引き後の画像データの解像度が、変倍率に関係なく一定になるようにする。これにより、その後の各処理部では、変倍率に関係なく同一の処理が行え、その認識率は変倍率によって変わらないようにしたものである。
【００１０】
【発明が解決しようとする課題】
しかしながら、上記した従来の装置では、複写機のように変倍率の情報を受けられるものに対しては有効であるが、正確な変倍率情報を受けられない装置に適用することはできなかった。すなわち、スキャナー，パソコン，プリンタを連携した画像処理システムの場合、個々の装置がそれぞれ独自に画像入力・画像処理・画像形成といった各処理を行うため、複写機のように信頼できる変倍率を取得することが困難である。従って、係る画像処理システムには、特開平６−２３７３７９号に開示された変倍率を利用した認識処理を適用することはできない。
【００１１】
そして、近年の電子技術の発展にともない、上記各装置における解像度が向上し、フルカラー印刷が可能となったので、認識パターンを含む画像の読み取り、各種処理並びに画像形成を確実に停止する必要がある。
【００１２】
本発明は、上記した背景に鑑みてなされたもので、その目的とするところは、たとえ変倍されて処理中の画像データの大きさが異なっても、正確に認識処理を行い、所定の画像を判定可能とする画像認識装置及び記録媒体並びに画像処理装置を提供することにある。
【００１３】
【課題を解決するための手段】
上記した目的を達成するために、本発明に係る画像認識装置では、認識パターンを複数の領域に分割して得られる部分基準パターンに基づいて画像認識を行う手段と、前記画像認識を行って検出された個々の部分基準パターンに対応するパターンの配置状態が正規のものか否かを認識する手段とを備え、前記認識する手段は、異なる変倍率についての複数の配置状態と比較して認識するものにした（請求項１）。この前記異なる変倍率についての複数の配置状態は、基本となる配置状態を配置情報記憶部に記憶保持させるとともに、その基本となる配置状態から各変倍率に基づき演算処理して求めるものとしてもよい（請求項２）。
【００１４】
また、別の解決手段としては、検出対象の認識パターンを細分化した領域ごとの辞書データを記憶する辞書部（実施の形態では、「辞書生成部１」に対応）と、入力された画像データと前記辞書部に記憶された辞書データを比較・マッチングする領域マッチング部と、前記細分化された領域の配置情報を記憶する配置情報記憶部（実施の形態では、「配置情報生成部４」に対応）と、前記記憶された配置情報と、前記領域マッチング部の出力とに基づいて前記画像データ中に前記認識パターンが存在するか否かを判断するパターン検出部とを備え、前記配置情報記憶部に記憶される配置情報は、異なる変倍率に対応する複数の配置情報としたことである（請求項３）。
【００１５】
一方、本発明に係る画像処理装置では、画像データに対して所定の画像処理を行う画像処理装置において、請求項１から３のいづれか１項に記載の画像認識装置を備え、その画像認識装置が前記処理中の画像データに前記認識対象パターンの存在を認識した際に、正常な画像処理を行わないように構成した（請求項４）。そして、係る画像処理装置は、実施の形態では、パソコン１２により実現されている。また、パソコン以外でも各種の画像処理を行う装置であれば、本発明で言う画像処理装置に含まれ、複写機ももちろん含まれる。また、複写機等の変倍率を入手できる画像処理装置の場合には、係る変倍率を利用して比較基準となる配置情報を決定するようにしてもよいし、複写機本体からの変倍率を利用しなくてもよい。
【００１６】
さらに、本発明に係る記録媒体では、与えられた画像データに対し、認識パターンを細分化した領域ごとの辞書データとのマッチングを行う処理、前記マッチングを行う処理により検出された各領域の配置が検出対象の前記認識パターンのものか否かを、異なる変倍率についての複数の配置状態と比較して判断する処理をコンピュータに実行させる命令を含む画像認識プログラムを格納した（請求項５）。
【００１７】
本発明では、画像認識をする際の基準パターン（辞書データ）は、認識パターンを複数の領域に分割・細分化して得られる部分基準パターン（辞書データ）を用いる。そして、その辞書データに基づいて、入力された画像データとのマッチング等の画像認識をする。すると、細分化した小さな情報量の領域（部分基準パターン）を複数個、別々に認識を行うことで、仮に入力画像が変倍されたものであっても、その変倍による実際の細分化された領域でのずれ量が可及的に抑えられる。
【００１８】
つまり、認識パターン全体を一度に認識しようとすると、変倍されるとその変倍に伴う寸法形状（画素数）のずれが大きくなり、同一でないと認識されるようなことがあっても、細分化された領域単位で認識処理することにより変倍の影響を受けにくくなり、認識・検出できる。
【００１９】
一方、変倍の影響を受けないように認識領域を小さくすることにより、変倍の有無に関わらず検出対象の細分化領域（部分基準パターン）を確実に検出できるものの、部分基準パターン等でないパターンも誤って検出するといった点での認識率の低下をきたすが、それは、配置情報に基づく認識により係る誤認識の発生を防ぐ。よって、微小変倍による認識率の低下が抑制される。
【００２０】
【実施の形態】
以下、本発明に係る画像認識装置の好適な実施の形態を添付図面を参照にして詳述する。図１に示すように、辞書生成部１には検出対象となる認識パターンに関する辞書データが格納されている。この辞書データは、認識対象パターンをいくつかの領域に分割し、細分化した領域ごとに記憶するようにしている。
【００２１】
すなわち、例えば認識パターン５が図２に示すようになっているとすると、従来の認識アルゴリズムではその認識パターン５の全体を基準パターンとして辞書に登録していた。これに対し本発明では、複数（図示の例では６個）の領域にわけて細分化し、個々の領域の部分基準パターン５ａ〜５ｆについての辞書データを記憶するようにしている。
【００２２】
そして、この辞書生成部１に格納された辞書データを用いて領域マッチング部２が入力画像に対してマッチング処理をし、マッチング結果を次段のパターン検出部３へ送る。すなわち、図２に示す辞書データの場合には、６個の部分基準パターン５ａ〜５ｆを読み出し（辞書生成部１から受け取る）、それぞれに対してマッチング処理を行い、対応するパターンが画像中に存在するか否かを判断し、存在する場合には、その位置情報も合わせてパターン検出部３に送るようにする。その場合に、どの部分基準パターンがどの位置に存在していたかの情報を対にして送るようになる。
【００２３】
なお、存在位置は、本形態では、その検出したパターンの中心位置座標としている。つまり、領域マッチング部２には、係る中心位置を検出する機能も有している。なおまた、個々の部分基準パターンと、入力画像データとのマッチング処理は、従来の各種のものを用いることができるので、その詳細な説明を省略する。
【００２４】
パターン検出部３は、領域マッチング部２から受け取った領域認識結果（各部分基準パターンと一致したパターンと、その位置情報）と、配置情報生成部４から受け取った各部分基準パターン５ａ〜５ｆの配置情報に基づいて、各部分基準パターンと一致した各パターンが正しい配置に並んでいたか否かを判断し、並んでいた場合には入力された画像データには認識パターンを含んでおり、対象物を認識したとして認識結果が出力されるようになる。
【００２５】
配置情報生成部４に記憶された配置情報は、図３（ａ）に示すように、各部分基準パターン５ａ〜５ｆの中心位置ａ〜ｆの相対位置座標としている。そして、この図３（ａ）に示すものは認識パターン５と同一、つまり、変倍率１００％のものに対する配置情報であるが、本形態では、このように変倍率１００％のものに限らず、異なる変倍率についての配置情報も格納するようにしている。つまり、同図（ｂ）に示すように、変倍率１１５％の場合の中心位置ａ′〜ｆ′の相対位置座標や、逆に９５％のときの中心位置ａ″〜ｆ″の相対位置座標等の各変倍率に対応した配置情報を格納するようになっている。
【００２６】
そして、配置情報生成部４では、予め想定された変倍率、或いは入力画像データから推定された変倍率に合わせた領域の配置情報を出力する。そして、想定される変倍率は、認識対象物と認識したい変倍率から想定されるもので、実際には、複数の変倍率に付いて順次出力するようになっている。また、入力画像データに基づく変倍率の推定は、例えば、特願平９−１３２７６３号に開示された技術を適用することができる。さらには、複写機などの確かな変倍率を外部から受け取ることができる場合には、係る変倍率に対応する配置情報を出力するようになっている。
【００２７】
次に、実際の認識処理について説明しつつ、本形態のより詳細な説明をする。すなわち、認識パターン５が図２に示すような寸法・形状であった場合に、図４に示すような比較パターン６が存在したとする。この比較パターン６は、実際の認識パターン５を１１５％拡大したパターンである。この程度の差であると、目視では同一物と誤認識するおそれがある。
【００２８】
一方、画像認識で行う場合、図２の認識パターン５の全体を１つの基準パターンとして比較すると、図５に示すように、破線で示す認識パターンと、実際の比較パターン６では、その大きさの差からずれが大きくなり、マッチングした結果の適合度（評価値）が上がらず、認識パターン５は存在してないと認識されてしまう。
【００２９】
これに対し、本形態では、図６に示すように、個々の部分基準パターン５ａ〜５ｆごとに比較するようにし、個々のパターンは比較的小さい領域になっているため、変倍処理による比較パターンの拡大・縮小に伴う寸法ずれも係る個々のパターン内で済むので少なく、十分な適合度が得られる。
【００３０】
つまり、図６に示した例では、領域マッチング部２は、すべての部分基準パターン５ａ〜５ｆを検出し、各パターンの中心座標（図中白丸で示す）を抽出し、その部分基準パターンの種類（番号）と、座標値を関連付けて領域認識結果としてパターン検出部３へ送る。
【００３１】
そして、パターン検出部３では、配置情報生成部４から受け取った各変倍率に応じた配置情報と順次比較し、検出した個々のパターンの相対位置関係がいずれかの変倍率の配置情報と一致或いはほぼ一致する物があるか否かを判断する。なお、図６に示した例では、１１５％の変倍の配置情報と一致するので認識対象物と同一と判断し、その旨認識結果を出力する。
【００３２】
また、部分基準パターンを決定するのに重要な要素として、解像度がある。すなわち、仮に領域を実寸法で小さくしたとしても、部分基準パターン５ａ〜５ｆの解像度を上げて認識パターン５全体の画素数を維持してしまうと、効果が無い。すなわち、変倍は純粋に比率であり、変倍率に応じて画素数が増減する。従って、仮に認識パターン５の全体が、１辺が１００画素を持つ正方形の領域とすると、それを１１５％に変倍すると１辺が１１５画素となり、１５画素分増加する。そして、上記の認識パターン５を単純に１０等分に分割すると、部分基準パターンは１辺が１０画素の正方形の細分化された領域になる。よって、１１５％に変倍しても部分基準パターンは１辺が１１．５画素となり、１または２画素の増加に留まる。よって、変倍率の影響を受けずに部分基準パターンが画像中に存在する場合には、それを精度良く認識・検出することができる。
【００３３】
一方、実寸法で１０等分に細分化しても解像度を例えば１０倍にしたとすると、部分基準パターンの領域は１辺が１００画素の正方形領域となる。すると、上記した認識パターン全体と同様に１１５％に変倍すると、１辺で１５画素分増加してしまい、変倍の影響を受けて精度よく認識できなくなる。
【００３４】
よって、部分基準パターンの解像度は、微小変倍の影響を受けない程度とする。そして、変倍によるずれを入力画像の誤差の範囲内に抑えるとよい。ここで微小変倍とは、目視では区別・識別できない程度の変倍のことを意味し、目視でも区別できるほど大きな変倍率まで対応する必要はない。すなわち、大きく寸法が異なると、例えば偽札などの偽造したものであることが一目でわかるため、さほど問題が無いからである。
【００３５】
なお、このように低解像度とすると、個々の部分基準パターンに対する認識率が低下する。つまり、部分基準パターンでないパターンも部分基準パターンであると誤認識するおそれがある（このため、認識パターン全体の解像度を低下させ、係る認識パターンと直接マッチングすることはできない）。係る認識率の低下は、複数の領域（部分基準パターン）を同時認識すること、及びそれら領域の配置情報の認識を合わせて行うことにより補うようにしている。
【００３６】
図７は、認識パターンの別の例を示している。すなわち、図２に示した認識パーターン５の場合には、元々複数の図形から構成されており、個々の図形ごとに容易に分割可能なパターンであったが、本発明はこれに限ることはなく、図７に示すように分割困難なパターンであっても良い。
【００３７】
すなわち、図７に示す認識パターン７は、連続しておりパターン形状に沿って分割することは困難である。しかし、図８に示すように例えばメッシュ状の領域に分割して２５個の部分基準パターン７ａに分割する。ここで図中黒丸は、各部分基準パターン７ａの中心位置である。すると、図９に示すように比較パターン９が拡大された場合には、それに対応して個々の部分基準パターン７ａが相互に離反し、比較パターン９の対応する部分とのマッチングを図ることにより、変倍対応して認識することができる。なお、この場合の画像認識装置の構成は図１のものと同様である。
【００３８】
また、分割の方法は、上記のようにメッシュ状に分割するものに限らない。例えば細分化された領域を円にすると、変倍による影響が等方的であるので好ましい。但し、任意のパターン領域に対して円からなる細分化された領域を重なることなく配置すると、隙間を生じるのでパターンに欠落を生じる。また欠落を無くすためには、隣接する細分化した領域との間で重複させる必要がある。このように欠落や重複があると、マッチングの精度が落ちたりすることがあるが、変倍機能に対する対応はでき、全体としては精度が向上するため問題はない。さらには、円と四角形の中間とも言える六角形の細分化領域を蜂の巣状に組むことによる分割をとることもでき、それら以外にも各種の分割は可能である。
【００３９】
図１０は、本発明に係る画像処理装置を備えた画像処理システムの好適な一実施の形態を示している。同図に示すように、本画像処理システムは、画像入力手段としてのスキャナー１０にて原稿を読み取るとともに、読み取った画像データを画像処理装置たるパソコン１２に送る。パソコン１２は、受け取った画像データに対して所定の処理をした後、画像形成手段たるプリンタ１４に出力し、プリンタ１４は受け取った画像データを用紙に印刷してプリントアウトするようになっている。
【００４０】
なお、パソコン１２における処理とは、例えば受け取った画像に対して変倍したり、解像度を変更したり、色補正をするなどの各種の画像処理がある。また、直接プリンタ１４に出力するのではなく、各種の記憶媒体に画像を記憶する処理などもある。また、画像に対する変倍処理は、パソコン１２に限ることはなく、スキャナー１０で読み取る際や、プリンタ１４で出力する際にも行われることもある。さらに、画像入力手段としては、スキャナーに限ることはなく、デジタルカメラ（スチール，ビデオ）等の各種の装置を用いることができる。また、画像入力の方法としては、上記のようにスキャナー１０等の画像入力装置を用いるものに限らず、ＦＤ，ＭＯ等の各種の記録媒体を用いたり、通信で受け取るなど各種の方法をとれるのはもちろんである。
【００４１】
ここで本形態では、パソコン１２に画像認識装置１６を連携させる。この画像認識装置１６は、図１に示したような構造からなり、パソコン１２から画像データを受け取り、所定の画像認識を行い、処理中の画像データが検出対象物と判断したならば、その旨認識結果をパソコン１２に返す。そして、それを受けたパソコン１２は、正常な画像処理を停止する。つまり、画像処理自体を停止したり、或いは、解像度を落としたり、全面を所定の色（例えば黒色）で塗り潰したり、各種の文字・マーク等を重ねるなど、一目で偽物・複写物とわかるような処理をする。
【００４２】
なお、図中二点鎖線で示すように係る認識結果の出力先は、パソコン１２に限ることはなく、プリンタ１４に対して行っても良い。また、画像データの入手元も、パソコン１２に限ることはなく、スキャナー１０やプリンタ１４でもよい。さらには、スキャナー１０から画像を受け取った場合に、スキャナー１０自体に対して認識結果を返すようにしても良い。
【００４３】
また、パソコン１２は、具体的には画像処理をするためのアプリケーション等となる。さらに、この画像認識装置１６も、別途個別の装置（ボードを含む）としてパソコン１２に装着しても良いし、画像認識する１つのアプリケーションとしてパソコン１２にインストールしたものでもよい。そして、後者の場合には、実際には図１０中パソコン１２内に組み込まれることになる。また、画像処理システムとして考えた場合、画像認識装置１６をスキャナー１０，プリンタ１４の任意の装置に装着するようにしてももちろん良い。
【００４４】
なお、上記した説明では、各変倍率に対応した配置情報を配置情報生成部４に予め格納するようにしたが、本発明はこれに限ることはなく、例えば変倍率１００％の配置情報を格納しておき、異なる変倍率に対する配置情報は、記憶した変倍率１００％の配置情報をその都度適宜拡大・縮小して配置情報を生成し出力するようにしても良い。また、係る拡大・縮小処理は、パターン検出部３側で行わせるようにしても良い。
【００４５】
なおまた、上記した実施の形態では、プログラム・システムを予めコンピュータ内に登録し、装置として完成しているものについて説明した。しかし本発明はこのように装置として完成しているもののみに限ることはなく、例えば、上記した各処理をコンピュータに実行させるためのプログラムとし、係るプログラムは所定の記録媒体に記録して提供するようにしてもよい。
【００４６】
すなわち、図１１，図１２に示すように、記録媒体としては、フロッピーディスク（ＦＤ）２０やＣＤ−ＲＯＭ２１などがあり、係る記録媒体２０，２１に格納されたプログラムは、ＦＤドライブ２２やＣＤ−ＲＯＭドライブ２３を介してコンピュータ（パソコン）２４に接続された（内蔵された）ＨＤユニット２５にインストールされ、これにより、コンピュータ２４は、上記した実施の形態で説明した装置を構成することになる。
【００４７】
具体的には、実施の形態における領域マッチング部２やパターン検出部３における各マッチング処理や、中心位置の検出並びに配置情報の適否の判断などを行うプログラム等が、ＨＤユニット２５にインストールされ、例えば使用の都度ＨＤユニット２５から内部メモリ２６に転送され、そこにおいて各種処理部２，３を構築し、各処理を高速に行うことができる。また、辞書生成部１や配置情報生成部４のうち、辞書データや配置情報等はＨＤユニット２５や内部メモリ２６などにより実現される。
【００４８】
なお、例えば配置情報生成部４において、基準の配置情報のみ記憶し、変倍率に対応する配置情報はその都度配置情報生成部が生成するような構成にした場合には、係る生成機能は上記各処理部２，３と同様にプログラムとしてＨＤユニット２５にインストールされ、例えば使用の都度ＨＤユニット２５から内部メモリ２６に転送されるようになる。
【００４９】
【発明の効果】
以上のように、本発明に係る画像認識装置及び記録媒体並びに画像処理装置では、たとえ変形されて入力画像の大きさ・形状が元画像と異なっても、細分化された領域単位で比較した場合には、その大きさ・形状の差は吸収され、認識される。しかも、係る個々の細分化された領域の情報に加えて、配置情報も加味して最終的に認識パターンか否かを判断するため、最終的な認識率の低下も効果的に抑制することができる。
【図面の簡単な説明】
【図１】本発明に係る画像認識装置の好適な一実施の形態を示すブロック図である。
【図２】認識パターンの一例を示す図である。
【図３】（ａ）は部分基準パターン（辞書データ）の一例を示す図である。
（ｂ）は配置情報の一例を示す図である。
【図４】比較パターンの一例を示す図である。
【図５】従来の問題点を示す図である。
【図６】本実施の形態の作用を説明する図である。
【図７】認識パターンの別の例を示す図である。
【図８】図７に基づく部分基準パターンの一例を示す図である。
【図９】図８に示す部分基準パターンを用いた認識処理の一例を説明する図である。
【図１０】本発明に係る画像処理装置を含む画像処理システムの好適な一実施の形態を示す図である。
【図１１】本発明に係る記録媒体を実施するシステム構成を示す図である。
【図１２】本発明に係る記録媒体を実施するシステム構成を示す図である。
【符号の説明】
１  領域マッチング部
２  辞書生成部
３  パターン検出部
４  配置情報生成部
５，７  認識パターン
５ａ〜５ｆ，７ａ  部分基準パターン（細分化された領域）
１０  スキャナー
１２  パソコン
１４  プリンタ
１６  画像認識装置
【図１】
0003963053.tif 000002
【図２】
0003963053.tif 000003
【図３】
0003963053.tif 000004
【図４】
0003963053.tif 000005
【図５】
0003963053.tif 000006
【図６】
0003963053.tif 000007
【図７】
0003963053.tif 000008
【図８】
0003963053.tif 000009
【図９】
0003963053.tif 000010
【図１０】
0003963053.tif 000011
【図１１】
0003963053.tif 000012
【図１２】
0003963053.tif 000013